(57)【要約】本発明は、無線通信システムで使用するための方法及び装置に関する。具体的に、本発明は、無線通信システムの第１のモバイルネットワーク運営者（ＭＮＯ：Ｍｏｂｉｌｅ  Ｎｅｔｗｏｒｋ  Ｏｐｅｒａｔｏｒ）の近接ベースのサービス（ＰｒｏＳｅ：Ｐｒｏｘｉｍｉｔｙ−ｂａｓｅｄ  Ｓｅｒｖｉｃｅ）−可能端末によってＰｒｏＳｅ通信を設定する方法であって、第１のＭＮＯの第１の無線資源のための第１の資源割り当て情報を含む第１のメッセージをブロードキャスト（ｂｒｏａｄｃａｓｔ）するステップ、及び第１のＭＮＯの第１の無線資源を使用して、第２のＭＮＯの１つ以上のＰｒｏＳｅ−可能端末から第１のメッセージと関連する確認情報を受信するステップを含み、第１のメッセージは、第２のＭＮＯのＰｒｏＳｅ−可能端末に適用される特定の無線資源を使用してブロードキャストされる、ＰｒｏＳｅ通信を設定する方法を開示する。【選択図】図１０
2016519492.tif 000002
【特許請求の範囲】
【請求項１】
無線通信システムの第１のモバイルネットワーク運営者（ＭＮＯ：Ｍｏｂｉｌｅ  Ｎｅｔｗｏｒｋ  Ｏｐｅｒａｔｏｒ）の近接ベースのサービス（ＰｒｏＳｅ：Ｐｒｏｘｉｍｉｔｙ−ｂａｓｅｄ  Ｓｅｒｖｉｃｅ）−可能端末によってＰｒｏＳｅ通信を設定する方法であって、
第１のＭＮＯの第１の無線資源のための第１の資源割り当て情報を含む第１のメッセージをブロードキャスト（ｂｒｏａｄｃａｓｔ）するステップと、
前記第１のＭＮＯの前記第１の無線資源を使用して第２のＭＮＯの１つ以上のＰｒｏＳｅ−可能端末から前記第１のメッセージと関連する確認情報を受信するステップとを含み、
前記第１のメッセージは、前記第２のＭＮＯのＰｒｏＳｅ−可能端末に適用される特定の無線資源を使用してブロードキャストされる、ＰｒｏＳｅ通信を設定する方法。
【請求項２】
前記第１のメッセージは、前記確認情報のための試みの最大回数、及び前記確認情報のためのバックオフ（ｂａｃｋ−ｏｆｆ）設定のうちの１つ以上をさらに含む、請求項１に記載のＰｒｏＳｅ通信を設定する方法。
【請求項３】
前記受信された確認情報から衝突が発見されない場合、
前記方法は、
前記特定の無線資源を使用して、前記第１のＭＮＯの第２の無線資源のための第２の資源割り当て情報を含む第２のメッセージをブロードキャストするステップと、
前記第１のＭＮＯの前記第２の無線資源を使用して、前記第２のＭＮＯの前記１つ以上のＰｒｏＳｅ−可能端末からＰｒｏＳｅ接続要請を受信するステップとをさらに含む、請求項１に記載のＰｒｏＳｅ通信を設定する方法。
【請求項４】
前記第２のメッセージは、前記第２のメッセージの発信者のための識別情報、及び前記第２のＭＮＯのための識別情報をさらに含む、請求項３に記載のＰｒｏＳｅ通信を設定する方法。
【請求項５】
前記第２のメッセージは、前記ＰｒｏＳｅ接続要請のための試みの最大回数、及び前記ＰｒｏＳｅ接続要請のためのバックオフ（ｂａｃｋ−ｏｆｆ）設定のうちの１つ以上をさらに含む、請求項４に記載のＰｒｏＳｅ通信を設定する方法。
【請求項６】
前記第１のＭＮＯは前記第２のＭＮＯと異なる、請求項１に記載のＰｒｏＳｅ通信を設定する方法。
【請求項７】
無線通信システムの近接ベースのサービス（ＰｒｏＳｅ：Ｐｒｏｘｉｍｉｔｙ−ｂａｓｅ  Ｓｅｒｖｉｃｅ）接続を設定するために構成された第１のモバイルネットワーク運営者（ＭＮＯ：Ｍｏｂｉｌｅ  Ｎｅｔｗｏｒｋ  Ｏｐｅｒａｔｏｒ）のＰｒｏＳｅ−可能端末であって、
ＲＦ（Ｒａｄｉｏ  Ｆｒｅｑｕｅｎｃｙ）ユニットと、
プロセッサとを含み、
前記プロセッサは、第１のＭＮＯの第１の無線資源のための第１の資源割り当て情報を含む第１のメッセージをブロードキャスト（ｂｒｏａｄｃａｓｔ）し、前記第１のＭＮＯの前記第１の無線資源を使用して、第２のＭＮＯの１つ以上のＰｒｏＳｅ−可能端末から前記第１のメッセージと関連する確認情報を受信するステップを含み、前記第１のメッセージは、前記第２のＭＮＯのＰｒｏＳｅ−可能端末に適用される特定の無線資源を使用してブロードキャストされるように構成された、第１のＭＮＯのＰｒｏＳｅ−可能端末。
【請求項８】
前記第１のメッセージは、前記確認情報のための試みの最大回数、及び前記確認情報のバックオフ（ｂａｃｋ−ｏｆｆ）設定のうちの１つ以上をさらに含む、請求項７に記載の第１のＭＮＯのＰｒｏＳｅ−可能端末。
【請求項９】
前記受信された承認情報から衝突が発見されない場合、
前記プロセッサは、前記特定の無線資源を使用して、前記第１のＭＮＯの第２の無線資源のための第２の資源割り当て情報を含む第２のメッセージをブロードキャストし、前記第１のＭＮＯの前記第２の無線資源を使用して、前記第２のＭＮＯの１つ以上のＰｒｏＳｅ−可能端末からＰｒｏＳｅ接続要請を受信するようにさらに構成された、請求項７に記載の第１のＭＮＯのＰｒｏＳｅ−可能端末。
【請求項１０】
前記第２のメッセージは、前記第２のメッセージの発信者のための識別情報、及び前記第２のＭＮＯのための識別情報をさらに含む、請求項９に記載の第１のＭＮＯのＰｒｏＳｅ−可能端末。
【請求項１１】
前記第２のメッセージは、前記ＰｒｏＳｅ接続要請のための試みの最大回数、及び前記ＰｒｏＳｅ接続要請のためのバックオフ（ｂａｃｋ−ｏｆｆ）設定のうちの１つ以上をさらに含む、請求項１０に記載の第１のＭＮＯのＰｒｏＳｅ−可能端末。
【請求項１２】
前記第１のＭＮＯは前記第２のＭＮＯと異なる、請求項７に記載の第１のＭＮＯのＰｒｏＳｅ−可能端末。
【発明の詳細な説明】
【技術分野】
【０００１】
本発明は、無線通信システムに関する。具体的に、本発明は、近接ベースのサービスのための方法及び装置に関する。
【背景技術】
【０００２】
一般に、無線通信システムは、音声通信サービス、データ通信サービスなどのような通信サービスを提供するために広い範囲に多様にカバーするように開発されている。無線通信は、可能なシステム資源（例えば、帯域幅、伝送電力など）を共有することによって多数のユーザとの通信を支援できる多重接続システムの一種である。例えば、多重接続システムは、コード分割多重接続（ＣＤＭＡ：Ｃｏｄｅ  Ｄｉｖｉｓｉｏｎ  Ｍｕｌｔｉｐｌｅ  Ａｃｃｅｓｓ）システム、周波数分割多重接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）システム、時分割多重接続（ＴＤＭＡ：Ｔｉｍｅ  Ｄｉｖｉｓｉｏｎ  Ｍｕｌｔｉｐｌｅ  Ａｃｃｅｓｓ）システム、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システム、単一搬送波周波数分割多重接続（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）システムなどを含む。
【発明の概要】
【発明が解決しようとする課題】
【０００３】
本発明の目的は、近接ベースのサービス（ＰｒｏＳｅ：Ｐｒｏｘｉｍｉｔｙ−ｂａｓｅｄ  Ｓｅｒｖｉｃｅ）接続、好ましくは、互いに異なる公衆地上移動ネットワーク（ＰＬＭＮｓ：Ｐｕｂｌｉｃ  Ｌａｎｄ  Ｍｏｂｉｌｅ  Ｎｅｔｗｏｒｋｓ）によって、ＰｒｏＳｅ−可能機器間のＰｒｏＳｅ接続を効率的に設定するための方法及び装置を提供することである。
【０００４】
本発明で達成できることは上述した内容に限定されないことは、本発明の属する分野における通常の水準の技術を有する者にとって明らかである。また、本発明が達成できる上記及び他の目的は、次の詳細な説明及び添付の図面によって明確に理解されるであろう。
【課題を解決するための手段】
【０００５】
本発明の一様相として、セルラー通信システムの第１のモバイルネットワーク運営者（ＭＮＯ：Ｍｏｂｉｌｅ  Ｎｅｔｗｏｒｋ  Ｏｐｅｒａｔｏｒ）の近接ベースのサービス（ＰｒｏＳｅ：Ｐｒｏｘｉｍｉｔｙ−ｂａｓｅｄ  Ｓｅｒｖｉｃｅ）−可能端末によってＰｒｏＳｅ通信を設定する方法であって、第１のＭＮＯの第１の無線資源のための第１の資源割り当て情報を含む第１のメッセージをブロードキャスト（ｂｒｏａｄｃａｓｔ）するステップ、及び第１のＭＮＯの第１の無線資源を使用して、第２のＭＮＯの１つ以上のＰｒｏＳｅ−可能端末から第１のメッセージと関連する確認情報を受信するステップを含み、第１のメッセージは、第２のＭＮＯのＰｒｏＳｅ−可能端末に適用される特定の無線資源を使用してブロードキャストされる、ＰｒｏＳｅ通信を設定する方法が開示される。
【０００６】
好ましくは、確認情報のための試みの最大回数、及び確認情報のためのバックオフ（ｂａｃｋ−ｏｆｆ）設定のうちの１つ以上をさらに含む。
【０００７】
好ましくは、受信された確認情報から衝突が発見されない場合、方法は、特定の無線資源を使用して、第１のＭＮＯの第２の無線資源のための第２の資源割り当て情報を含む第２のメッセージをブロードキャストするステップ、及び第１のＭＮＯの第２の無線資源を使用して、第２のＭＮＯの１つ以上のＰｒｏＳｅ−可能端末からＰｒｏＳｅ接続要請を受信するステップをさらに含む。
【０００８】
好ましくは、第２のメッセージは、第２のメッセージの発信者のための識別情報、及び第２のＭＮＯのための識別情報をさらに含む。
【０００９】
好ましくは、第２のメッセージは、ＰｒｏＳｅ接続要請のための試みの最大回数、及びＰｒｏＳｅ接続要請のためのバックオフ（ｂａｃｋ−ｏｆｆ）設定のうちの１つ以上をさらに含む。
【００１０】
好ましくは、第１のＭＮＯは第２のＭＮＯと異なる。
【００１１】
本発明の他の様相として、無線通信システムの近接ベースのサービス（ＰｒｏＳｅ：Ｐｒｏｘｉｍｉｔｙ−ｂａｓｅ  Ｓｅｒｖｉｃｅ）接続を設定するために構成された第１のモバイルネットワーク運営者（ＭＮＯ：Ｍｏｂｉｌｅ  Ｎｅｔｗｏｒｋ  Ｏｐｅｒａｔｏｒ）のＰｒｏＳｅ−可能端末であって、ＲＦ（Ｒａｄｉｏ  Ｆｒｅｑｕｅｎｃｙ）ユニット及びプロセッサを含み、プロセッサは、第１のＭＮＯの第１の無線資源のための第１の資源割り当て情報を含む第１のメッセージをブロードキャスト（ｂｒｏａｄｃａｓｔ）し、第１のＭＮＯの第１の無線資源を使用して、第２のＭＮＯの１つ以上のＰｒｏＳｅ−可能端末から第１のメッセージと関連する確認情報を受信するステップを含み、第１のメッセージは、第２のＭＮＯのＰｒｏＳｅ−可能端末に適用される特定の無線資源を使用してブロードキャストされるように構成された、第１のＭＮＯのＰｒｏＳｅ−可能端末が開示される。
【００１２】
好ましくは、第１のメッセージは、確認情報のための試みの最大回数、及び確認情報のバックオフ（ｂａｃｋ−ｏｆｆ）設定のうちの１つ以上をさらに含む。
【００１３】
好ましくは、受信された承認情報から衝突が発見されない場合、プロセッサは、特定の無線資源を使用して、第１のＭＮＯの第２の無線資源のための第２の資源割り当て情報を含む第２のメッセージをブロードキャストし、第１のＭＮＯの第２の無線資源を使用して、第２のＭＮＯの１つ以上のＰｒｏＳｅ−可能端末からＰｒｏＳｅ接続要請を受信するようにさらに構成される。
【００１４】
好ましくは、第２のメッセージは、第２のメッセージの発信者のための識別情報、及び第２のＭＮＯのための識別情報をさらに含む。
【００１５】
好ましくは、第２のメッセージは、ＰｒｏＳｅ接続要請のための試みの最大回数、及びＰｒｏＳｅ接続要請のためのバックオフ（ｂａｃｋ−ｏｆｆ）設定のうちの１つ以上をさらに含む。
【００１６】
好ましくは、第１のＭＮＯは第２のＭＮＯと異なる。
【発明の効果】
【００１７】
本発明の例示的な実施例は、次のような効果がある。本発明の実施例によって、ＰｒｏＳｅ接続、好ましくは、互いに異なるネットワークによってサービングされるＰｒｏＳｅ−可能端末間のＰｒｏＳｅ接続を設定するための効果的な手順が提供される。
【００１８】
本発明で達成できることは上述した内容に限定されないことは、本発明の属する分野における通常の水準の技術を有する者にとって明らかである。また、本発明が達成できる上記及び他の目的は、次の詳細な説明及び添付の図面によって明確に理解されるであろう。
【図面の簡単な説明】
【００１９】
添付の図面は、詳細な説明と共に本発明の追加的な理解を提供し、発明の実施例を示す。
【００２０】
【図１】進化した汎用移動通信システム（Ｅ−ＵＭＴＳ：Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す図である。
【００２１】
【図２】Ｅ−ＵＴＲＡＮ及び進化したパケットコア（ＥＰＣ：Ｅｖｏｌｖｅｄ  Ｐａｃｋｅｔ  Ｃｏｒｅ）の一般的な構造を示す図である。
【００２２】
【図３Ａ】Ｅ−ＵＭＴＳネットワークのユーザプレーンプロトコル及び制御プレーンプロトコルスタックを示す図である。
【図３Ｂ】Ｅ−ＵＭＴＳネットワークのユーザプレーンプロトコル及び制御プレーンプロトコルスタックを示す図である。
【００２３】
【図４】無線フレームの構造を示す図である。
【００２４】
【図５】ダウンリンクサブフレーム及び物理チャネルを示す図である。
【００２５】
【図６】アップリンクサブフレーム及び物理チャネルを示す図である。
【００２６】
【図７Ａ】物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の形態である１／１ａ／１ｂのスロット水準構造を示す図である。
【図７Ｂ】物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の形態である１／１ａ／１ｂのスロット水準構造を示す図である。
【００２７】
【図８】ＰｒｏＳｅで使用可能な３つの類型の通信経路を示す図である。
【図９Ａ】ＰｒｏＳｅで使用可能な３つの類型の通信経路を示す図である。
【図９Ｂ】ＰｒｏＳｅで使用可能な３つの類型の通信経路を示す図である。
【００２８】
【図１０】本発明に係るＰｒｏＳｅ接続を設定する手順を示す図である。
【図１１】本発明に係るＰｒｏＳｅ接続を設定する手順を示す図である。
【００２９】
【図１２】ユーザ機器（ＵＥ：Ｕｓｅｒ  Ｅｑｕｉｐｍｅｎｔ）あるいは移動局（ＭＳ：Ｍｏｂｉｌｅ  Ｓｔａｔｉｏｎ）のブロック図を示す図である。
【発明を実施するための形態】
【００３０】
添付の図面を参照して、本発明の好ましい実施例を詳細に説明する。以下の詳細な説明は、本発明の唯一の実施形態を示すためのものではなく、本発明の例示的な実施例を説明するためのものである。以下の実施例は、ＣＤＭＡ、ＦＤＭＡ、ＴＤＭＡ、ＯＦＤＭＡ、ＳＣ−ＦＤＭＡ、ＭＣ−ＦＤＭＡのような様々な無線接続技術に適用できる。ＣＤＭＡは、汎用地上無線接続（ＵＴＲＡ：Ｕｎｉｖｅｒｓａｌ  Ｔｅｒｒｅｓｔｒｉａｌ  Ｒａｄｉｏ  Ａｃｃｅｓｓ）またはＣＤＭＡ２０００のような無線通信技術によって具現可能である。ＴＤＭＡは、無線通信技術、例えば、モバイル通信のための移動通信のためのグローバルシステム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）、一般パケット無線サービス（ＧＰＲＳ：Ｇｅｎｅｒａｌ  Ｐａｃｋｅｔ  Ｒａｄｉｏ  Ｓｅｒｖｉｃｅ）、ＧＳＭ（登録商標）進化のための向上したデータ率（ＥＤＧＥ：Ｅｎｈａｎｃｅｄ  Ｄａｔａ  ｒａｔｅｓ  ｆｏｒ  ＧＳＭ（登録商標）  Ｅｖｏｌｕｔｉｏｎ）などによって具現可能である。ＯＦＤＭＡは、無線通信技術、例えば、ＩＥＥＥ  ８０２．１１（Ｗｉ−Ｆｉ）、ＩＥＥＥ  ８０２．１６（ＷｉＭＡＸ）、ＩＥＥＥ  ８０２．２０、進化したＵＴＲＡ（Ｅ−ＵＴＲＡ：Ｅｖｏｌｖｅｄ  ＵＴＲＡ）などによって具現可能である。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを使用する進化したＵＭＴＳ（Ｅ−ＵＭＴＳ）の一部である。ＬＴＥ−Ａ（ＬＴＥ−Ａｄｖａｎｃｅｄ）は、３ＧＰＰ  ＬＴＥの進化したバージョンである。本発明の次の実施例は、３ＧＰＰ  ＬＴＥ／ＬＴＥ−Ａシステムに基づいて本発明の技術的特徴を説明するが、次の実施例は単に例示的な目的であり、本発明の範囲及び技術的思想はこれに限定されない。
【００３１】
本発明の例示的な実施例に使用される特定の用語は本発明の理解を助けるために提供される。このような特定の用語は、本発明の範囲及び技術的思想を逸脱しない範囲で他の形態に変更可能である。
【００３２】
図１は、Ｅ−ＵＭＴＳのネットワーク構造を示す。Ｅ−ＵＭＴＳは、ＬＴＥシステムと称することもある。Ｅ−ＵＭＴＳは、音声又はパケットデータのように様々な通信サービスを提供するように配置される。また、一般に、以下の図面と共に本願で論議される様々な技術に基づいて機能するように構成される。
【００３３】
図１を参照すると、Ｅ−ＵＭＴＳネットワークは、進化したＵＭＴＳ地上無線接続ネットワーク（Ｅ−ＵＴＲＡＮ：Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）、進化したパケットコア（ＥＰＣ：Ｅｖｏｌｖｅｄ  Ｐａｃｋｅｔ  Ｃｏｒｅ）、１つ以上の移動端末（又は、ユーザ機器（ＵＥ：Ｕｓｅｒ  Ｅｑｕｉｐｍｅｎｔ））１０を含む。Ｅ−ＵＴＲＡＮは、１つ以上の基地局（ｅＮＢ：ｅＮｏｄｅＢ）２０を含む。ＥＰＣについて、移動性管理個体（ＭＭＥ：Ｍｏｂｉｌｉｔｙ  Ｍａｎａｇｅｍｅｎｔ  Ｅｎｔｉｔｙ）／システムアーキテクチャー進化（ＳＡＥ：Ｓｙｓｔｅｍ  Ａｒｃｈｉｔｅｃｔｕｒｅ  Ｅｖｏｌｕｔｉｏｎ）ゲートウェイ３０は、端末１０のセッション及び移動性管理機能の終点を提供する。基地局２０及びＭＭＥ／ＳＡＥゲートウェイ３０は、Ｓ１インターフェースを介して接続可能である。
【００３４】
端末１０は、ユーザが携帯する通信装置であり、移動局（ＭＳ：Ｍｏｂｉｌｅ  Ｓｔａｔｉｏｎ）、ユーザ端末（ＵＴ：Ｕｓｅｒ  Ｔｅｒｍｉｎａｌ）、加入者局（ＳＳ：Ｓｕｂｓｃｒｉｂｅｒ  Ｓｔａｔｉｏｎ）または無線機器と称することができる。一般に、端末は、他の構成要素と共に送信機及びプロセッサを含み、本願に提示された様々な技術によって動作するように構成される。
【００３５】
基地局２０は、一般に、端末１０と通信する固定局である。基地局と称されることに加えて、アクセスポイント（ＡＰ：Ａｃｃｅｓｓ  Ｐｏｉｎｔ）とも称される。基地局２０は、端末１０にユーザプレーン及び制御プレーンの終点を提供する。一般に、基地局は、他の構成要素と共に送信機及びプロセッサを含み、本願に提示された様々な技術によって動作するように構成される。
【００３６】
複数の端末１０が１つのセル内に位置することができる。通常、セル当たり１つの基地局２０が配置される。ユーザトラフィック又は制御トラフィックを伝送するためのインターフェースが基地局２０の間で使用され得る。ここで、ダウンリンク（ＤＬ：ＤｏｗｎＬｉｎｋ）は、基地局２０から端末１０への通信を意味し、アップリンク（ＵＬ：ＵｐＬｉｎｋ）は、端末から基地局への通信を意味する。
【００３７】
ＭＭＥゲートウェイ３０は、ページングメッセージの基地局２０に対する分配、保安制御、ＩＤＬＥ状態移動性制御、ＳＡＥベアラ制御、非接続層（ＮＡＳ：Ｎｏｎ−Ａｃｃｅｓｓ  Ｓｔｒａｔｕｍ）シグナリングの暗号化及び完全性保護を含む様々な機能を提供する。ＳＡＥゲートウェイ３０は、ページングによるユーザプレーンパケットの終結、端末移動性を支援するためのユーザプレーンのスイッチングを含む様々な機能を提供する。
【００３８】
複数のノードが、基地局２０とゲートウェイ３０との間にＳ１インターフェースを介して接続されてもよい。基地局２０は、Ｘ２インターフェースを介して互いに接続されてもよい。隣接する基地局は、Ｘ２インターフェースを有するメッシュネットワーク構造を有することができる。
【００３９】
図２は、Ｅ−ＵＴＲＡＮとＥＰＣの一般的な構造を示すブロック図である。図２を参照すると、基地局２０は、ＭＭＥ／ＳＡＥゲートウェイ３０の選択、無線資源制御（ＲＲＣ：Ｒａｄｉｏ  Ｒｅｓｏｕｒｃｅ  Ｃｏｎｔｒｏｌ）活性化の間のゲートウェイに向かうルーティング（ｒｏｕｔｉｎｇ）、ページングメッセージのスケジューリング及び伝送、ブロードキャストチャネル（ＢＣＣＨ：Ｂｒｏａｄｃａｓｔ  Ｃｈａｎｎｅｌ）情報のスケジューリング及び伝送、アップリンク及びダウンリンクでの端末１０への資源の動的割り当て、基地局測定値の設定及び供給、無線ベアラ制御、無線進入制御（ＲＡＣ：Ｒａｄｉｏ  Ａｄｍｉｓｓｉｏｎ  ｃｏｎｔｒｏｌ）、ＬＴＥ_ＡＣＴＩＶＥ状態での接続移動性制御の機能を行うことができる。
【００４０】
ＥＰＣにおいて、上述したように、ＭＭＥ／ＳＡＥゲートウェイ３０は、ページング開始（ｏｒｉｇｉｎａｔｉｏｎ）、ＬＴＥ−ＩＤＬＥ状態管理、ユーザプレーンの暗号化、ＳＡＥベアラ制御、ＮＡＳシグナリングの暗号化及び完全性保護を行うことができる。
【００４１】
図３Ａ及び図３Ｂは、Ｅ−ＵＭＴＳネットワークのためのユーザプレーンプロトコル及び制御プレーンプロトコルスタックを示す。図３Ａ及び図３Ｂを参照すると、プロトコル層は、通信システムの分野で知られた開放システム相互接続（ＯＳＩ：Ｏｐｅｎ  Ｓｙｓｔｅｍ  Ｉｎｔｅｒｃｏｎｎｅｃｔｉｏｎ）標準モデルの３つの下位層に基づいて、第１の層（Ｌ１）、第２の層（Ｌ２）、第３の層（Ｌ３）に分けられる。
【００４２】
第１の層（又は物理層）は、物理チャネルを用いて上位層に情報伝送サービスを提供する。物理層は、伝送チャネルを介して媒体接続制御（ＭＡＣ：Ｍｅｄｉｕｍ  Ａｃｃｅｓｓ  Ｃｏｎｔｒｏｌ）層と接続される。また、ＭＡＣ層と物理層との間のデータは、伝送チャネルを介して伝送される。互いに異なる物理層間では、すなわち、伝送側と受信側の物理層間では（例えば、端末１０と基地局２０の物理層間では）、データは物理チャネルを介して伝送される。
【００４３】
第２の層（Ｌ２）のＭＡＣ層は、論理チャネルを介して無線リンク制御（ＲＬＣ：Ｒａｄｉｏ  Ｌｉｎｋ  Ｃｏｎｔｒｏｌ）層にサービスを提供する。第２の層（Ｌ２）のＲＬＣ層は、データの安定した伝送を支援する。図３Ａ及び図３ＢにおいてＲＬＣ層がＭＡＣ層から分離されて示されていても、ＲＬＣ層の機能はＭＡＣ層によって行われ得るものと理解しなければならない。したがって、別途のＲＬＣ層が要求されない。図３Ａを参照すると、第２の層のパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層は、不要な制御情報を減少させるヘッダー圧縮機能を行う。すなわち、ＩＰｖ４又はＩＰｖ６のようなＩＰ（Ｉｎｔｅｒｎｅｔ  Ｐｒｏｔｏｃｏｌ）パケットを用いて伝送されたデータが、相対的に狭い帯域幅を有する無線インターフェースを介して効果的に伝達され得る。
【００４４】
図３Ｂを参照すると、無線資源制御（ＲＲＣ：Ｒａｄｉｏ  Ｒｅｓｏｕｒｃｅ  Ｃｏｎｔｒｏｌ）層は、第３の層（Ｌ３）の最も低い部分に位置しており、一般的に制御プレーンでのみ定義される。ＲＬＣ層は、無線ベアラ（ＲＢ：Ｒａｄｉｏ  Ｂｅａｒｅｒ）の構成、再構成及び解除に関して論理チャネル、伝送チャネル、物理チャネルを制御する。ここで、ＲＢは、端末とＥ−ＵＴＲＡＮとの間のデータ伝送のために第２の層（Ｌ２）で提供するサービスを意味する。
【００４５】
図３Ａを参照すると、ＲＬＣ及びＭＡＣ層（ネットワーク側の基地局２０で終了する）は、スケジューリング、再伝送要請（ＡＲＱ：Ａｕｔｏｍａｔｉｃ  Ｒｅｐｅａｔ  ｒｅＱｕｅｓｔ）、複合再伝送要請（ＨＡＲＱ：Ｈｙｂｒｉｄ  Ａｕｔｏｍａｔｉｃ  Ｒｅｐｅａｔ  ｒｅＱｕｅｓｔ）のような機能を行うことができる。ＰＤＣＰ層（ネットワーク側の基地局２０で終了する）は、ヘッダー圧縮、完全性保護、暗号化のようなユーザプレーン機能を行うことができる。
【００４６】
図３Ｂを参照すると、ＲＬＣ及びＭＡＣ層（ネットワーク側の基地局２０で終了する）は、制御プレーンのために、同一又は類似の機能を行う。ＲＲＣ層（ネットワーク側の基地局２０で終了する）は、ブロードキャスティング、ページング、ＲＲＣ接続管理、ＲＢ制御、移動性機能、端末測定値の報告及び制御のような機能を行うことができる。ＮＡＳ制御プロトコル（ネットワーク側のＭＭＥ３０で終了する）は、ＳＡＥベアラ管理、認証、ＬＴＥ_ＩＤＬＥ移動性管理、ＬＴＥ_ＩＤＬＥでのページング開始、ゲートウェイと端末１０との間のシグナリングのための保安制御のような機能を行うことができる。
【００４７】
ＮＡＳ制御プロトコルは、３つの異なる状態を使用することができる：第一に、ＲＲＣ個体がない場合、ＬＴＥ_ＤＥＴＡＣＨＥＤ状態；第二に、最小限のＵＥ情報を格納する間にいかなるＲＲＣ接続もない場合、ＬＴＥ_ＩＤＬＥ状態；ＲＲＣ接続が行われた場合、ＬＴＥ_ＡＣＴＩＶＥ状態。
【００４８】
したがって、ＲＲＣ状態は、ＲＲＣ_ＩＤＬＥ状態及びＲＲＣ_ＣＯＮＮＥＣＴＥＤ状態の２つの異なる状態に分けられる。ＲＲＣ_ＩＤＬＥ状態において、端末１０は、端末がＮＡＳによって設定された不連続受信（ＤＲＸ：Ｄｉｓｃｏｎｔｉｎｕｏｕｓ  Ｒｅｃｅｐｔｉｏｎ）を指定する間、システム情報及びページング情報のブロードキャストを受信することができる。また、前記端末は、トラッキング領域で端末を固有に識別する識別子（ＩＤ：ｉｄｅｎｔｉｆｉｃａｔｉｏｎ）（例えば、ＳＡＥ−臨時モバイル加入者識別番号（Ｓ−ＴＭＳＩ：Ｓｙｓｔｅｍ  Ａｒｃｈｉｔｅｃｔｕｒｅ  Ｅｖｏｌｕｔｉｏｎ−Ｔｅｍｐｏｒａｒｙ  Ｍｏｂｉｌｅ  Ｓｕｂｓｃｒｉｂｅｒ  Ｉｄｅｎｔｉｔｙ））の割り当てを受ける。なお、ＲＲＣ_ＩＤＬＥ状態において、基地局内にＲＲＣコンテキストは格納されない。
【００４９】
ＲＲＣ_ＩＤＬＥ状態において、端末１０は、ページングＤＲＸ周期を指定する。具体的に、端末１０は、全ての端末の特定のページングＤＲＸ周期の特定のページング時期でのページング信号をモニタリングする。
【００５０】
ＲＲＣ_ＣＯＮＮＥＣＴＥＤ状態において、端末１０は、Ｅ−ＵＴＲＡＮ  ＲＲＣ接続を有し、ＲＲＣコンテキストは、データをネットワーク（基地局）に／から送信及び／又は受信することを可能にする。また、端末１０は、チャネル品質情報及びフィードバック情報を基地局に報告することができる。
【００５１】
ＲＲＣ_ＣＯＮＮＥＣＴＥＤ状態において、Ｅ−ＵＴＲＡＮは、端末１０が属するセルを知っている。したがって、ネットワークは、データを端末１０に／から送信及び／又は受信することができる。また、ネットワークは、端末の移動性（ハンドオーバー）を制御することができる。
【００５２】
図４は、無線フレームの構造を示す。セルラーＯＦＤＭ無線パケット通信システムにおいて、アップリンク／ダウンリンクデータパケットの伝送は、サブフレーム単位で行われる。サブフレームは、複数のＯＦＤＭシンボルを含む所定の時間区間として定義される。３ＧＰＰ  ＬＴＥは、周波数分割二重化（ＦＤＤ：Ｆｒｅｑｕｅｎｃｙ  Ｄｉｖｉｓｉｏｎ  Ｄｕｐｌｅｘ）のための第１のタイプの無線フレーム構造、及び時分割二重化（ＴＤＤ：Ｔｉｍｅ  Ｄｉｖｉｓｉｏｎ  Ｄｕｐｌｅｘ）のための第２のタイプの無線フレーム構造をサポートする。
【００５３】
図４（Ａ）は、第１のタイプの無線フレーム構造である。ダウンリンクサブフレームは、時間領域でそれぞれ２個のスロットを含む１０個のサブフレームを含む。サブフレームを送信するための時間は、送信時間間隔（ＴＴＩ：Ｔｒａｎｓｍｉｓｓｉｏｎ  Ｔｉｍｅ  Ｉｎｔｅｒｖａｌ）と定義される。例えば、それぞれのサブフレームが１ｍｓの長さを有し、それぞれのスロットは０．５ｍｓの長さを有する。スロットは、時間領域で複数のＯＦＤＭシンボルを含み、周波数領域で複数の資源ブロック（ＲＢ：Ｒｅｓｏｕｒｃｅ  Ｂｌｏｃｋ）を含む。３ＧＰＰ  ＬＴＥにおいてダウンリンクがＯＦＤＭを使用するので、ＯＦＤＭシンボルはシンボル区間を示す。ＯＦＤＭシンボルは、ＳＣ−ＦＤＭＡシンボル又はシンボル周期と呼ばれる。資源割り当て単位としての１つのＲＢは、１つのスロット内に複数の連続したサブキャリア（ｓｕｂｃａｒｒｉｅｒ）を含むことができる。
【００５４】
１つのスロットに含まれるＯＦＤＭシンボルの数は、循環前置（ＣＰ：Ｃｙｃｌｉｃ  Ｐｒｅｆｉｘ）の設定によって変わる。例えば、ＯＦＤＭシンボルが通常のＣＰで構成される場合、ＯＦＤＭのシンボルの数は、１つのスロットに７個を含むことができる。ＯＦＤＭシンボルが拡張されたＣＰで構成される場合、ＯＦＤＭシンボルの長さは増加し、したがって、１つのスロット内に含まれたＯＦＤＭシンボルの数は、通常のＣＰの場合よりも少なくなる。拡張されたＣＰの場合、１つのスロットに割り当てられたＯＦＤＭシンボルの数は６個であってもよい。チャネル状態が不安定な場合、例えば、端末が高速で移動する場合、拡張されたＣＰは、シンボル間の干渉を減少させるために使用することができる。
【００５５】
通常のＣＰが使用される場合、１つのスロットが７個のＯＦＤＭシンボルを有するので、１つのサブフレームは１４個のＯＦＤＭシンボルを含む。それぞれのサブフレームにおいて最大に最初の３個のＯＦＤＭシンボルまでＰＤＣＣＨに割り当てられることができ、残りのＯＦＤＭシンボルはＰＤＳＣＨに割り当てられることができる。
【００５６】
図４（Ｂ）は、第２のタイプの無線フレーム構造である。第２のタイプの無線フレームは２個のハーフフレームを含む。それぞれのハーフフレームは、５個のサブフレーム、ＤｗＰＴＳ（Ｄｏｗｎｌｉｎｋ  Ｐｉｌｏｔ  Ｔｉｍｅ  ｓｌｏｔ）、ガード周期（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、最小のセル探索、同期化またはチャネルの評価に使用される。ＵｐＰＴＳは、端末のＢＳ及びＵＬ伝送同期化の取得においてチャネル評価のために使用される。ＧＰは、アップリンクとダウンリンクとの間でダウンリンク信号の多重経路遅延によるアップリンク干渉を除去する。
【００５７】
図５は、ダウンリンクサブフレーム及び物理チャネルを示す。
【００５８】
図５を参照すると、ダウンリンクサブフレームは、複数（例えば、２個）のスロットを含む。１つのスロットに含まれたＯＦＤＭシンボルの数は、ＣＰの長さによって変わり得る。例えば、通常のＣＰの場合、スロットは７個のＯＦＤＭシンボルを含むことができる。ダウンリンクサブフレームは、時間領域でデータ領域と制御領域とに分割される。サブフレームの第１のスロットの前部に位置した最大３個（又は４個）のＯＦＤＭシンボルは、制御チャネルが割り当てられた制御領域に対応し得る。残りのＯＦＤＭシンボルは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）が割り当てられたデータ領域に対応する。ＬＴＥ（−Ａ）では、様々なダウンリンクチャネルが使用され、例えば、物理制御フォーマット指示者チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理複合再伝送チャネル（ＰＨＩＣＨ：Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの第１のＯＦＤＭシンボルに伝送され、サブフレーム内の伝送制御チャネルのために使用されるＯＦＤＭシンボルの数に対する情報を伝達する。ＰＨＩＣＨは、複合再伝送承認／未承認（ＨＡＲＱ  ＡＣＫ／ＮＡＣＫ：Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｍｅｎｔ／Ｎｅｇａｔｉｖｅ  Ａｃｋｎｏｗｌｅｄｇｍｅｎｔ）信号をアップリンク伝送信号に対する応答として伝達する。
【００５９】
ＰＤＣＣＨに伝送された制御情報は、ダウンリンク制御情報（ＤＣＩ：Ｄｏｗｎｌｉｎｋ  Ｃｏｎｔｒｏｌ  Ｉｎｆｏｒｍａｔｉｏｎ）と称される。ＤＣＩは、端末又は端末グループに対する資源割り当て情報及びその他の制御情報を含む。例えば、ＤＣＩは、アップリンク／ダウンリンクスケジューリング情報、アップリンク伝送電力制御命令などを含む。
【００６０】
ＰＤＣＣＨは、様々な情報を伝達し、例えば、ダウンリンク共有チャネル（ＤＬ−ＳＣＨ：ＤｏｗｎＬｉｎｋ  Ｓｈａｒｅｄ  Ｃｈａｎｎｅｌ）の伝送形式及び資源割り当て情報、アップリンク共有チャネル（ＵＬ−ＳＣＨ：ＵｐＬｉｎｋ  Ｓｈａｒｅｄ  Ｃｈａｎｎｅｌ）の伝送形式及び資源割り当て情報、ページングチャネル（ＰＣＨ：Ｐａｇｉｎｇ  Ｃｈａｎｎｅｌ）を介して伝送されたページング情報、ＤＬ−ＳＣＨを介して伝送されたシステム情報、ＰＤＳＣＨを介して伝送されたランダム接続応答のような上位層制御メッセージの資源割り当て情報、端末グループに含まれたそれぞれの端末の送信電力制御命令セット、送信電力制御命令、ＶｏＩＰ（Ｖｏｉｃｅ  ｏｖｅｒ  ＩＰ）の活性化指示情報などがある。複数のＰＤＣＣＨは制御領域に伝送され得る。端末は複数のＰＤＣＣＨをモニタリングすることができる。ＰＤＣＣＨは、１つ以上の連続した制御チャネル要素（ＣＣＥ：Ｃｏｎｔｒｏｌ  Ｃｈａｎｎｅｌ  Ｅｌｅｍｅｎｔ）の集合として伝送される。ＣＣＥは、ＰＤＣＣＨに無線チャネル状態に基づいて符号化率を提供するのに使用される論理割り当て単位である。ＣＣＥは、複数の資源要素グループ（ＲＥＧ：Ｒｅｓｏｕｒｃｅ  Ｅｌｅｍｅｎｔ  Ｇｒｏｕｐ）に対応し得る。ＰＤＣＣＨの形式及びＰＤＣＣＨビットの数は、ＣＣＥの数によって決定されてもよい。基地局（ＢＳ：Ｂａｓｅ  Ｓｔａｔｉｏｎ）は、端末に伝送されるＤＣＩに応じてＰＤＣＣＨ形式を決定し、循環重複検査（ＣＲＣ：Ｃｙｃｌｉｃ  Ｒｅｄｕｎｄａｎｃｙ  Ｃｈｅｃｋ）を制御情報に追加する。ＣＲＣは、ＰＤＣＣＨの所有者あるいはＰＤＣＣＨの目的に応じて識別子（例えば、無線ネットワーク臨時識別子（ＲＮＴＩ：Ｒａｄｉｏ  Ｎｅｔｗｏｒｋ  Ｔｅｍｐｏｒａｒｙ  Ｉｎｄｅｎｔｉｆｉｅｒ））でマスキングされる。例えば、ＰＤＣＣＨが特定のＵＥに対して提供される場合、ＣＲＣは、対応する端末（例えば、セル−ＲＮＴＩ（Ｃ−ＲＮＴＩ：Ｃｅｌｌ−ＲＮＴＩ））の識別子でマスキングされ得る。ＰＤＣＣＨがページングメッセージに対して提供される場合、ＣＲＣは、ページング識別子（例えば、ページング−ＲＮＴＩ（Ｐ−ＲＮＴＩ：Ｐａｇｉｎｇ−ＲＮＴＩ））でマスキングされ得る。ＰＤＣＣＨは、システム情報に対して提供される場合（例えば、システム情報ブロック（ＳＩＢ：Ｓｙｓｔｅｍ  Ｉｎｆｏｒｍａｔｉｏｎ  Ｂｌｏｃｋ））、ＣＲＣは、システム情報ＲＮＴＩ（ＳＩ−ＲＮＴＩ：Ｓｙｓｔｅｍ  Ｉｎｆｏｒｍａｔｉｏｎ−ＲＮＴＩ）でマスキングされ得る。ＰＤＣＣＨがランダム接続応答に対して提供される場合、ＣＲＣは、ランダム接続ＲＮＴＩ（ＲＡ−ＲＮＴＩ：Ｒａｎｄｏｍ  Ａｃｃｅｓｓ−ＲＮＴＩ）でマスキングされ得る。例えば、ＣＲＣマスキング（又はスクランブリング）がビットレベルでＣＲＣとＲＮＴＩとの間の排他的ＯＲ（ＸＯＲ）演算を用いて行われてもよい。
【００６１】
図６は、アップリンクサブフレームの構造を示す。
【００６２】
図６を参照すると、アップリンクサブフレームは、複数（例えば、２個）のスロットを含む。それぞれのスロットはＳＣ−ＦＤＭＡシンボルを含み、シンボルの数はＣＰの長さによって変わる。例えば、通常のＣＰの場合、スロットは、７個のＳＣ−ＦＤＭＡシンボルを含むことができる。アップリンクサブフレームは、データ領域と制御領域とに分けられる。データ領域は、ＰＵＳＣＨを含み、音声のようなデータ信号を伝送するのに使用される。データ領域は、ＰＵＣＣＨを含み、制御情報を伝送するのに使用される。ＰＵＣＣＨは、スロット間の周波数軸とホップのデータ領域の両端に位置したＲＢ対（例えば、ｍ＝０，１，２，３）を含む。アップリンク制御情報（即ち、ＵＣＩ：Ｕｐｌｉｎｋ  Ｃｏｎｔｒｏｌ  Ｉｎｆｏｒｍａｔｉｏｎ）は、ＨＡＲＱ  ＡＣＫ／ＮＡＣＫ、チャネル品質情報（ＣＱＩ：Ｃｈａｎｎｅｌ  Ｑｕａｌｉｔｙ  Ｉｎｆｏｒｍａｔｉｏｎ）、プリコーディングマトリクス指示者（ＰＭＩ：Ｐｒｅｃｏｄｉｎｇ  Ｍａｔｒｉｘ  Ｉｎｄｉｃａｔｏｒ）及びランク指示者（ＲＩ：Ｒａｎｋ  Ｉｎｄｉｃｔｉｏｎ）を含む。
【００６３】
図７Ａ及び図７Ｂは、ＰＵＣＣＨフォーマット１／１ａ／１ｂのスロットレベル構造を示す。図７Ａは、ＰＵＣＣＨフォーマット１を示し、スケジューリング要請（ＳＲ：Ｓｃｈｅｄｕｌｉｎｇ  Ｒｅｑｕｅｓｔ）を伝送するのに使用される。ＳＲは、ＵＬ−ＳＣＨ資源を要請するのに使用される。ＳＲ情報は、端末からＰＵＣＣＨ伝送の存在／不在によって伝達される（即ち、Ｏｎ−Ｏｆｆキーイング（ＯＯＫ：Ｏｎ−Ｏｆｆ  Ｋｅｙｉｎｇ）変調）。図７Ｂは、ＰＵＣＣＨフォーマット１ａ／１ｂを示し、ダウンリンクデータ（例えば、ＰＤＳＣＨ信号）の受信に対する応答として複合自動再伝送要請承認（ＨＡＲＱ−ＡＣＫ）（又は、承認／未承認（ＡＣＫ／ＮＡＣＫ））を伝送するのに使用される。ＰＵＣＣＨフォーマット１ａは、１ビットのＨＡＲＱ−ＡＣＫ（例えば、２進位相シフトキーイング（ＢＰＳＫ：Ｂｉｎａｒｙ  Ｐｈａｓｅ  Ｓｈｉｆｔ  Ｋｅｙｉｎｇ）変調）を伝達し、ＰＵＣＣＨフォーマット１ｂは、２ビットのＨＡＲＱ−ＡＣＫ（例えば、直交位相シフトキーイング（ＱＰＳＫ：Ｑｕａｄｒａｔｕｒｅ  Ｐｈａｓｅ  Ｓｈｉｆｔ  Ｋｅｙｉｎｇ）変調）を伝達する。
【００６４】
図７Ａ及び図７Ｂを参照すると、ＰＵＣＣＨフォーマット１／１ａ／１ｂのために、同一の構造が使用される。サブフレーム内でスロット単位で同一の制御情報が繰り返される。それぞれの端末は、ＣＧ−ＣＡＺＡＣ（ｃｏｍｐｕｔｅｒ−ｇｅｎｅｒａｔｅｄ  ｃｏｎｓｔａｎｔ  ａｍｐｌｉｔｕｄｅ  ｚｅｒｏ  ａｕｔｏ  ｃｏｒｒｅｌａｔｉｏｎ）シーケンスの異なる巡回シフト（ＣＳｓ：Ｃｙｃｌｉｃ  Ｓｈｉｆｔｓ）（周波数ドメインコード）及びＯＣｓ（Ｏｒｔｈｏｇｏｎａｌ  Ｃｏｖｅｒｓ）またはＯＣＣｓ（Ｏｒｔｈｏｇｏｎａｌ  Ｃｏｖｅｒ  Ｃｏｄｅｓ）（時間ドメインコード）を含む異なる資源を介してＰＵＣＣＨフォーマット１／１ａ／１ｂ信号を伝送する。ＯＣは、例えば、Ｗａｌｓｈ／ＤＦＴ直交コードを含む。ＣＳの数が６であり、ＯＣの数が３である場合、総和１８個の端末が、単一のアンテナを使用する場合のＰＲＢに多重化され得る。直交シーケンスｗ０、ｗ１、ｗ２及びｗ３は、（ＦＦＴ変調後に）特定の時間ドメインに適用されるか、または（ＦＦＴ変調前に）特定の周波数ドメインに適用されてもよい。ＣＳｓ、ＯＣｓ及びＰＲＢｓを含むＰＵＣＣＨフォーマット１／１ａ／１ｂ資源は、無線資源制御（ＲＲＣ：Ｒａｄｉｏ  Ｒｅｓｏｕｒｃｅ  Ｃｏｎｔｒｏｌ）を介して端末に提供されてもよい。
【００６５】
具体的に、ＳＲがトリガー（ｔｒｉｇｇｅｒ）されるか、またはＳＲサブフレームにペンディング（ｐｅｎｄｉｎｇ）された場合、複素数シンボル
【化１】
2016519492.tif 000003
＝１が使用される。また、ＡＣＫ／ＮＡＣＫが伝送されなければならないとき、複素数シンボル
【化２】
2016519492.tif 000004
が、ＢＰＳＫ又はＱＰＳＫ方式に従ってＨＡＲＱ−ＡＣＫ応答の調節によって生成される。複素数シンボル
【化３】
2016519492.tif 000005
は、次の数式１によって、ＰＵＣＣＨ伝送のために使用される
【化４】
2016519492.tif 000006
アンテナポートのそれぞれのために巡回シフトされた長さ
【化５】
2016519492.tif 000007
のシーケンス
【化６】
2016519492.tif 000008
と乗じられる。
【００６６】
【数１】
2016519492.tif 000009
【００６７】
ここで、
【化７】
2016519492.tif 000010
は、
【化８】
2016519492.tif 000011
であるＣＧ−ＣＡＺＡＣシーケンスである。アンテナポート特定の巡回シフト
【化９】
2016519492.tif 000012
は、以下に定義されたように、シンボルとスロット間でそれぞれ異なる。
【００６８】
複素数シンボル
【化１０】
2016519492.tif 000013
のブロックは、次の数式２によって、
【化１１】
2016519492.tif 000014
によってスクランブルされ得る。また、アンテナポート特定の直交シーケンス
【化１２】
2016519492.tif 000015
と共にブロック方向に広がることができる。
【００６９】
【数２】
2016519492.tif 000016
【００７０】
ここで、
【００７１】
【化１３】
2016519492.tif 000017
であり、
【００７２】
【化１４】
2016519492.tif 000018
であり、
【００７３】
正規ＰＵＣＣＨフォーマット１／１ａ／１ｂの両スロットに対して
【化１５】
2016519492.tif 000019
である。また、短くなったＰＵＣＣＨフォーマット１／１ａ／１ｂの第１のスロットに対して
【化１６】
2016519492.tif 000020
であり、第２のスロットに対して
【化１７】
2016519492.tif 000021
である。シーケンス
【化１８】
2016519492.tif 000022
は、表１及び表２によって与えられる。
【化１９】
2016519492.tif 000023
は、後で定義される。
【００７４】
【表１】
2016519492.tif 000024
【００７５】
【表２】
2016519492.tif 000025
【００７６】
ＰＵＣＣＨフォーマット１／１ａ／１ｂの伝送のために使用される資源は、次の数式３によって決定される直交シーケンスインデックス
【化２０】
2016519492.tif 000026
及び巡回シフト
【化２１】
2016519492.tif 000027
から認識され、資源インデックス
【化２２】
2016519492.tif 000028
によって認識される。ＰＵＣＣＨフォーマット１のために、
【化２３】
2016519492.tif 000029
は、上位層（例えば、ＲＲＣ）によって半（ｓｅｍｉ）−静的に提供される。ＰＵＣＣＨフォーマット１ａ／１ｂのために、
【化２４】
2016519492.tif 000030
は、上位層（例えば、ＲＲＣ）によって半−静的に提供されるか、またはＰＤＳＣＨに相応するＤＬグラントＰＤＣＣＨ信号の伝送のために使用される資源インデックス（例えば、最も低い制御チャネル要素（ＣＣＥ：Ｃｏｎｔｒｏｌ  Ｃｈａｎｎｅｌ  Ｅｌｅｍｅｎｔ）インデックス）を使用して動的に提供される。
【００７７】
【数３】
2016519492.tif 000031
【００７８】
ここで、
【００７９】
【化２５】
2016519492.tif 000032
である。
【００８０】
セル−特定の巡回シフト、
【化２６】
2016519492.tif 000033
は、次の数式４によってシンボルの数
【化２７】
2016519492.tif 000034
及びスロットの数
【化２８】
2016519492.tif 000035
が変わる。
【００８１】
【数４】
2016519492.tif 000036
【００８２】
ここで、
【化２９】
2016519492.tif 000037
は、擬似−ランダムシーケンスである。
【００８３】
擬似−ランダムシーケンスは、長さ−３１ゴールドシーケンスによって定義され得る。長さ
【化３０】
2016519492.tif 000038
である出力シーケンス
【化３１】
2016519492.tif 000039
、ここで、
【化３２】
2016519492.tif 000040
は、数式５のように定義され得る。
【００８４】
【数５】
2016519492.tif 000041
【００８５】
ここで、
【化３３】
2016519492.tif 000042
であり、第１のｍ−シーケンスは、
【化３４】
2016519492.tif 000043
で初期設定される。第２のｍ−シーケンスの初期値の設定は、
【化３５】
2016519492.tif 000044
で示される。ＰＵＣＣＨフォーマット１／１ａ／１ｂのために、擬似−ランダムシーケンスは、それぞれの無線フレームの開始において
【化３６】
2016519492.tif 000045
で初期化され得る。
【化３７】
2016519492.tif 000046
は、物理層セル識別子（Ｃｅｌｌ  ＩＤ）である。
【００８６】
ＰＵＣＣＨがマッピングされたサブフレームの２個のスロット内の２個の資源ブロックで資源インデックスは、次のように与えられる。
【００８７】
【化３８】
2016519492.tif 000047
である場合、
【００８８】
【数６】
2016519492.tif 000048
【００８９】
【化３９】
2016519492.tif 000049
である場合、
【数７】
2016519492.tif 000050
【００９０】
ここで、
【化４０】
2016519492.tif 000051
であり、通常のＣＰのために
【化４１】
2016519492.tif 000052
であり、拡張されたＣＰのために
【化４２】
2016519492.tif 000053
である。
【００９１】
パラメータデルタＰＵＣＣＨ−Ｓｈｉｆｔ
【化４３】
2016519492.tif 000054
は、上位層によって提供される。
【００９２】
複素数シンボル
【化４４】
2016519492.tif 000055
のブロックは、伝送電力
【化４５】
2016519492.tif 000056
に一致するために大きさスケーリング指数と乗じられる。また、資源要素に
【化４６】
2016519492.tif 000057
から始まる順序でマッピングされる。ＰＵＣＣＨは、１つのサブフレーム内の２個のスロットのそれぞれで１つの資源ブロックを使用する。伝送のために使用される物理資源ブロック内で、
【化４７】
2016519492.tif 000058
のアンテナポート
【化４８】
2016519492.tif 000059
の資源要素
【化４９】
2016519492.tif 000060
へ（参照信号の伝送のために使用されない）のマッピングは、まず、
【化５０】
2016519492.tif 000061
が増加する順序で、次いで、
【化５１】
2016519492.tif 000062
が増加する順序で、最後に、スロット番号が増加する順序で行われ、サブフレームの最初のスロットから始まる。
【００９３】
近接ベースのサービス（ＰｒｏＳｅ：Ｐｒｏｘｉｍｉｔｙ−Ｂａｓｅｄ  Ｓｅｒｖｉｃｅ）
【００９４】
最近、近接ベースのサービス（ＰｒｏＳｅ：Ｐｒｏｘｉｍｉｔｙ−Ｂａｓｅｄ  Ｓｅｒｖｉｃｅ）が３ＧＰＰで論議された。ＰｒｏＳｅは、異なる端末を（直接的に）互いに（適切な手順、例えば、ＰｒｏＳｅ発見、認証後に）基地局のみを介して（しかし、サービングゲートウェイ（ＳＧＷ：Ｓｅｒｖｉｎｇ  Ｇａｔｅｗａｙ）／パケットデータネットワークゲートウェイ（ＰＤＮ−ＧＷ、ＰＧＷ：Ｐａｃｋｅｔ  Ｄａｔａ  Ｎｅｔｗｏｒｋ  Ｇａｔｅｗａｙ）を介さずに）、またはＳＧＷ／ＰＧＷを介して接続できるようにする。ＰｒｏＳｅは、持続的なネットワークの制御下、また、３ＧＰＰネットワークの範囲内で、近接範囲内の機器間の運営者のネットワーク制御された発見及び通信のために、次のような様々な使用事例と潜在的な要求事項がある：
【００９５】
−商業的／社会的使用
【００９６】
−ネットワークオフロード
【００９７】
−公衆安全
【００９８】
−到達可能性及び移動性の面を含むユーザ経験の一貫性を保障するための現在のインフラサービスの統合
【００９９】
−ＥＵＴＲＡＮの範囲の外の場合における公衆安全（地域別規制及び運営者の政策によって、特定の公衆安全用指定周波数帯域及び端末に限定される）
【０１００】
図８、図９Ａ及び図９Ｂは、ＰｒｏＳｅで使用できる３つの通信経路の類型を示す。図８は、ＰｒｏＳｅ発見によって設定されたＥＰＣ経路を示し、図９Ａ及び図９Ｂは、２つのＰｒｏＳｅ通信経路の類型を示す。
【０１０１】
図８は、２つの端末間の通信のための向上したパケットシステム（ＥＰＳ：Ｅｎｈａｎｃｅｄ  Ｐａｃｋｅｔ  Ｓｙｓｔｅｍ）での基本データ経路（又は、向上したパケットコア（ＥＰＣ：Ｅｎｈａｎｃｅｄ  Ｐａｃｋｅｔ  Ｃｏｒｅ）経路）の例を示す。図８を参照すると、隣接する２つの端末（例：ＵＥ１，ＵＥ２）が近接通信を互いに行っているときにも、これらのデータ経路（ユーザプレーン）は、運営者ネットワークを介する。したがって、通信の基本データ経路は、基地局及び／又はゲートウェイ（例：ＳＧＷ／ＰＧＷ）を含む。ネットワークは、ＰｒｏＳｅサーバー、ＭＭＥなど（以下、ＰｒｏＳｅ−関連ノード）のようなＰｒｏＳｅ通信と関連するネットワークノードをさらに含むことができる。ＰｒｏＳｅ−関連ノードは、データ経路を介してＰｒｏＳＥ通信を制御することができる。ＰｒｏＳｅ−関連ノードは、データ経路の一部であってもよく、またはデータ経路の外に位置してもよい。
【０１０２】
図９Ａ及び図９Ｂは、２つの端末間の近接通信のためのデータ経路のシナリオの他の例を示す。図９Ａは、２つの端末間の通信のためのＥＰＳ内の直接モードデータ経路を示す。図９Ｂは、各端末が同じ基地局によってサービングされるとき、２つの端末間の通信のためのＥＰＳ内のローカルルーティング経路を示す。特に、無線機器（例：ＵＥ１、ＵＥ２）が互いに近接した距離にある場合、それらは直接モードデータ経路（図９Ａ）あるいはローカルルーティングデータ経路（図９Ｂ）を使用することができる。直接モードデータ経路において、無線機器は（適切な手順後に、例えば、ＰｒｏＳｅ発見、認証）基地局及びＳＧＷ／ＰＧＷなしに互いに直接接続される。ローカルルーティングデータ経路において、無線機器は基地局を介してのみ互いに接続される。
【０１０３】
モバイルネットワーク運営者（ＭＮＯ：Ｍｏｂｉｌｅ  Ｎｅｔｗｏｒｋ  Ｏｐｅｒａｔｏｒ）間のＰｒｏＳｅ通信において、ＭＮＯは、ＰｒｏＳｅ無線資源（例えば、周波数幅、チャネル）及び関連する制御情報を互いに共有する。これによって、他のＭＮＯ（例えば、ＭＮＯ１）は、ＰｒｏＳｅサービスの提供において、異なるＭＮＯ（例えば、ＭＮＯ２）のＰｒｏＳｅ無線資源の検索を逃さないことができる。どの無線資源がＰｒｏＳｅ発見及び通信のために使用されるかは、運営者の決定による。しかし、ＭＮＯ間のシナリオにおいて、１つのＭＮＯによってサービングされる端末は、どの無線資源が他のＭＮＯによって使用されたかを知ることができるので、第１の端末は、どの無線資源をＰｒｏＳｅ発見の実行のために検索するかを計画することができる。さらに、発見者端末（又は、発見する端末）が被発見者端末とＰｒｏＳｅ通信接続を作りたい場合、誰の無線資源（例えば、ＭＮＯ１の周波数幅又はチャネル、または、ＭＮＯ２の周波数幅又はチャネル）を使用するか、ＰｒｏＳｅ通信接続の設定方法を決定するのに適するかを決定することが必要である。
【０１０４】
以下、互いに異なるネットワーク（例えば、異なるＭＮＯ）によってサービングされるＰｒｏＳｅ−可能端末間のＰｒｏＳｅ接続設定のための手順が説明される。容易な理解のために、本発明は、ＰｒｏＳｅ接続のために２つのＭＮＯの端末が参加したシナリオを中心に説明される。しかし、本発明は、ＰｒｏＳｅ接続設定のために３つあるいはそれ以上のＭＮＯの端末が参加した場合にも使用可能である。次の説明では、端末ｘ．ｙは、ＭＮＯｘによってサービングされる端末ｙを意味する（例えば、端末２．１：ＭＮＯ２の端末１）。
【０１０５】
図１０は、本発明に係るＭＮＯ間のＰｒｏＳｅ接続設定のための手順を示す。図１０は、１つの端末がＭＮＯ間のＰｒｏＳｅ接続設定を試みる場合を示す。
【０１０６】
図１０を参照すると、端末１．１は、“私はここにいる”というメッセージ（以下、ブロードキャストメッセージ１）（Ｓ１００２ａ又はＳ１００２ｂ）をブロードキャストすることができる。ブロードキャストメッセージ１は、ＰｒｏＳｅ−可能端末（例えば、端末１．１．）の存在を他のＭＮＯのＰｒｏＳｅ−可能端末（例えば、端末２．１又は端末３．１）に知らせるために使用することができる。ブロードキャストメッセージ１は、ＰｒｏＳｅのために新たに定義されたシステム情報（例えば、ＰｒｏＳｅ−ＳＩＢ）などを使用して伝送することができる。ブロードキャストメッセージ１は、ＭＮＯ−共通スクランブリングシーケンスを使用してスクランブリングすることができる。例えば、ＭＮＯ−共通スクランブリングシーケンスは、新たに定義されたＭＮＯ−共通指示者（ＩＤ）、ＭＮＯ間に共通したＰｒｏＳｅ−関連ＩＤなどで初期化することができる。ブロードキャストメッセージ１は、他のＭＮＯのＰｒｏＳｅ−可能端末（例えば、端末２．１又は端末３．１）においても有効な特定の無線資源を使用して伝送することができる。特定の無線資源は、ＭＮＯ−共通資源から選択することができる。ＭＮＯ−共通資源は、ＭＮＯ間の交渉または技術的標準などに基づいてＭＮＯ間で共有した周波数帯域／チャネルであり得る。特定の無線資源は、ＭＮＯ−共通資源から無作為にまたは特定の規則に従って選択されてもよい。例えば、特定の無線資源に対応する周波数帯域／チャネルインデックスは、ＭＮＯ  ＩＤ（例えば、ＭＮＯ１のＩＤ）、端末ＩＤ（例えば、端末１．１のＩＤ）、ＰｒｏＳｅグループＩＤまたはＰｒｏＳｅサービスＩＤに基づいて決定されてもよい。ブロードキャストメッセージ１は、周期的な伝送周期（例えば、Ｎ（Ｎ≧１）個の無線フレーム）及びブロードキャストメッセージ１に関連する手順がペンディングされた間のオフセット（ｍｓ又はサブフレーム単位）に従って伝送されてもよい。ブロードキャストメッセージ１の伝送のためのオフセットは、ＭＮＯ  ＩＤ（例えば、ＭＮＯ１のＩＤ）、端末ＩＤ（例えば、端末１．１のＩＤ）、ＰｒｏＳｅグループＩＤまたはＰｒｏＳｅサービスＩＤに基づいて決定されてもよい。
【０１０７】
ブロードキャストメッセージ１の伝送の結果として、端末１．１が他のＭＮＯ（例えば、ＭＮＯ２）のＰｒｏＳｅ−可能端末（例えば、端末２．１）によって発見される場合（Ｓ１００４）、端末２．１は、特定のメッセージ（以下、応答メッセージ１）を被発見端末（例えば、端末１．１）に伝送することができる（Ｓ１００６）。端末２．１からの応答メッセージ１は、ＭＮＯ１−関連ＩＤ（例えば、ＭＮＯ１  ＩＤ）を使用してスクランブリングすることができる。応答メッセージ１は、ブロードキャストメッセージ１に対する確認（ＡＣＫ）情報を含むことができる。例えば、応答メッセージ１は、情報の基本及び最小レベルに単純化されたＡＣＫを含むことができる。ここで、単純化されたＡＣＫは、被発見端末（例えば、端末１．１）に発見者端末の存在を知らせるために使用することができる。情報の最小レベルは、発見者端末（例えば、端末２．１）の論理的あるいは物理的ＩＤ、及び／又はＭＮＯ（例えば、ＭＮＯ２）の論理的あるいは物理的ＩＤを含むことができる。
【０１０８】
応答メッセージ１は、（無線）資源（以下、タイプ１の資源）を使用して伝送することができる。タイプ１の資源は、第１のＭＮＯ（以下、隣接ＭＮＯ）の発見者端末（例えば、端末２．１又は端末３．１）の資源を含むことができ、これらは、第２のＭＮＯ（以下、サービングＭＮＯ）あるいは第２のＭＮＯの被発見端末（例えば、端末１．１）によって予約／割り当てられる。何らかの理由でも必要な場合、例えば、ＭＮＯの政策またはＭＮＯで資源の負担（ｓｃａｒｅ）がある場合、サービングＭＮＯ（例えば、ＭＮＯ１）は、他の端末（例えば、端末２．１）の隣接するＭＮＯ（例えば、ＭＮＯ２）に交渉を要請することができる。これによって、資源（例えば、周波数帯域／チャネル）の切り替えが、隣接するＭＮＯ（例えば、ＭＮＯ２）の資源で行われ得る。タイプ１の資源は、情報の基本あるいは最小レベルの単純化されたＡＣＫのための資源を含むことができる。端末２．１の観点で、タイプ１の資源は、次の方法の一つを使用して割り当てられてもよい：
【０１０９】
−方法Ａ１：ＭＮＯ（例えば、ＭＮＯ１又はＭＮＯ２）は、ＳＩＢあるいは類似の何か（Ｓ１００２ａの場合）を使用してタイプ１の資源を示す資源割り当て情報をブロードキャストすることができる。例えば、ＭＮＯは、ＳＩＢあるいは類似のものを使用して関連情報（例えば、時間情報、周波数情報などであり、これらは、ブロードキャストメッセージ１の伝送のために使用される資源に関連する）をブロードキャストすることができる。
【０１１０】
−方法Ａ２：“私はここにいる”ＰｒｏＳｅ端末（例えば、端末１．１）は、ＰｒｏＳｅ−ＳＩＢあるいはこれと類似の何かを使用してタイプ１の資源を示す資源割り当て情報をブロードキャストすることができる（Ｓ１００２ｂ）。ＰｒｏＳｅ−ＳＩＢは、端末（例えば、端末１．１）の論理的あるいは物理的ＩＤを含むことができ、使用する他の発見者ＰｒｏＳｅ端末（例えば、端末２．１）のためのローカルシステム（例えば、ＭＮＯ１）情報（例えば、ＭＮＯ１の論理的あるいは物理的ＩＤ）を含むことができる。例えば、端末１．１は、ＰｒｏＳｅ−ＳＩＢあるいはこれと類似の何かを使用して関連情報（例えば、時間情報、周波数情報などであり、これらは、ブロードキャストメッセージ１の伝送のために使用される資源と関連する）をブロードキャストすることができる。
【０１１１】
−方法Ａ３：方法Ａ１及び方法Ａ２の時間ドメイン内で組み合わせ
【０１１２】
ここで、関連時間情報は、ブロードキャストメッセージ１が伝送／受信されるサブフレームからのサブフレームオフセットとして示すことができる。関連周波数情報は、周波数帯域インデックスオフセット、チャネルインデックスオフセットまたはブロードキャストメッセージ１が伝送／受信される周波数帯域／チャネルインデックスからの資源ブロック（グループ）インデックスオフセットとして示すことができる。
【０１１３】
応答メッセージ１は、ＰＵＣＣＨフォーマット１／１ａ／１ｂを使用して伝送することができる。また、タイプ１の資源は、ＰＵＣＣＨフォーマット１／１ａ／１ｂ資源を含むことができる。例えば、端末２．１は、ＰＵＣＣＨフォーマット１／１ａ／１ｂを介して端末１．１にＡＣＫ信号を伝送することができる。この場合、端末ＩＤ及び／又はＭＮＯ  ＩＤは、ＰＵＣＣＨフォーマット１／１ａ／１ｂの伝送のために使用されるＣＧ−ＣＡＺＡＣシーケンスの巡回シフトに使用され得る。特に、図７Ａ及び図７Ｂを参照して説明されたように、従来の技術において、巡回シフト、
【化５２】
2016519492.tif 000063
は、数式８によってシンボルの数
【化５３】
2016519492.tif 000064
及びスロットの数
【化５４】
2016519492.tif 000065
が変わる。
【０１１４】
【数８】
2016519492.tif 000066
【０１１５】
ここで、
【化５５】
2016519492.tif 000067
は、擬似−ランダムシーケンスである。擬似−ランダムシーケンス生成器は、それぞれの無線フレームの開始点において
【化５６】
2016519492.tif 000068
で初期化される。
【化５７】
2016519492.tif 000069
は、物理層セル識別子（Ｃｅｌｌ  ＩＤ）である。
【０１１６】
本実施例において、Ｃｅｌｌ  ＩＤは、１つ以上の端末ＩＤ及び／又はＭＮＯ  ＩＤに置換されてもよい（例えば、端末２．１  ＩＤ及び／又はＭＮＯ２  ＩＤ）。例えば、
【化５８】
2016519492.tif 000070
は、端末２．１  ＩＤ、ＭＮＯ２  ＩＤ、ＵＥ２．１  ＩＤ  ＊２ｎ＋ＭＮＯ２  ＩＤまたはＭＮＯ２  ＩＤ＊２ｍ＋ＵＥ２．１  ＩＤに設定されてもよい。ここで、ｎは、ＭＮＯ  ＩＤのビットサイズであり、ｍは、端末ＩＤのビットサイズである。
【０１１７】
端末２．１が他のＭＮＯ（例えば、ＭＮＯ１）の端末（例えば、端末１．１）を発見した後、端末２．１はＰｒｏＳｅ接続要請を端末１．１に伝送することができる（Ｓ１０１２）。ＰｒｏＳｅ接続要請は、（無線）資源（以下、タイプ２の資源）を使用して伝送することができる。タイプ２の資源は、第１のＭＮＯ（以下、隣接ＭＮＯ）の発見者端末（例えば、端末２．１又は端末３．１）のための資源を含むことができる。これは、第２のＭＮＯ（以下、サービングＭＮＯ）または第２のＭＮＯの被発見者端末（例えば、端末１．１）によって予約／割り当てられてもよい。ＭＮＯの政策またはＭＮＯ内の資源の負担がある場合など、何らかの理由でも必要な場合、サービングＭＮＯ（例えば、ＭＮＯ１）は、他の端末（例えば、端末２．１）の隣接ＭＮＯ（例えば、ＭＮＯ２）に交渉を要請することができる。これによって、資源（例えば、周波数帯域／チャネル）の切り替えが隣接ＭＮＯの資源で行われ得る。タイプ２の資源は、メッセージ（例えば、ＰｒｏＳｅ接続要請）の向上したレベルのための資源を含むことができる。これによって、タイプ２の資源は、タイプ１の資源よりも大きく割り当てられ得る。端末２．１の観点で、タイプ２の資源は、次の方法の一つを使用して割り当てられてもよい：
【０１１８】
−方法Ｂ１：ＭＮＯ（例えば、ＭＮＯ１又はＭＮＯ２）は、ＳＩＢまたはこれと類似のもの（Ｓ１００２ａの場合）を使用してタイプ２の資源を示す資源割り当て情報をブロードキャストすることができる。例えば、ＭＮＯは、ＳＩＢまたはこれと類似のものを使用して関連情報（例えば、時間情報、周波数情報などであり、これらは、ブロードキャストメッセージ１の伝送に使用される資源と関連する）をブロードキャストすることができる。
【０１１９】
−方法Ｂ２：“私はここにいる”ＰｒｏＳｅ端末（例えば、端末１．１）は、ＰｒｏＳｅ−ＳＩＢあるいはこれと類似のもの（Ｓ１０１０の場合）を使用してタイプ２の資源を示す資源割り当て情報をブロードキャストすることができる。ＰｒｏＳｅ−ＳＩＢは、端末（例えば、端末１．１）の論理的あるいは物理的ＩＤ、及び使用する他の発見者ＰｒｏＳｅ端末（例えば、端末２．１）のためのローカルシステム（例えば、ＭＮＯ１）情報（例えば、ＭＮＯ１の論理的あるいは物理的ＩＤ）を含むことができる。例えば、端末１．１は、ＰｒｏＳｅ−ＳＩＢまたはこれと類似のものを使用して関連情報（例えば、時間情報、周波数情報などであり、これらはブロードキャストメッセージ１の伝送に使用される資源と関連する）をブロードキャストすることができる。
【０１２０】
−方法Ｂ３：方法Ｂ１及び方法Ｂ２の時間ドメイン内で組み合わせ
【０１２１】
ここで、関連時間情報は、ブロードキャストメッセージ１（又は応答メッセージ１）が伝送／受信されるサブフレームからのサブフレームオフセットとして示すことができる。関連周波数情報は、周波数帯域インデックスオフセット、チャネルインデックスオフセットまたはブロードキャストメッセージ１（又は応答メッセージ１）が伝送／受信される周波数帯域／チャネルインデックスからの資源ブロック（グループ）インデックスオフセットとして示すことができる。
【０１２２】
タイプ２の資源が方法Ｂ１に基づいて割り当てられる場合、ステップＳ１００８〜Ｓ１０１０は省略できる。反面、タイプ２の資源が方法Ｂ１／Ｂ２に基づいて割り当てられる場合、ステップＳ１００８〜Ｓ１０１０は、次のように行われる。具体的に、端末１．１が他のＭＮＯ（例えば、ＭＮＯ２）のＰｒｏＳｅ−可能端末（例えば、端末２．１）から応答メッセージ１（例えば、ＡＣＫ）を受信した後、必要であれば、端末１．１は、ＨＰＬＭＮ（Ｈｏｍｅ  Ｐｕｂｌｉｃ  Ｌａｎｄ  Ｍｏｂｉｌｅ  Ｎｅｔｗｏｒｋ）またはＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）  ＭＮＯ（例えば、ＭＮＯ１）に使用する追加的な資源を要請することができる。また、ＨＰＬＭＮまたはＶＰＬＭＮ  ＭＮＯは、端末１．１に、要請された資源を割り当てることができる（Ｓ１００８）。
【０１２３】
その後、端末１．１は、“私はここにいる”というメッセージ（以下、ブロードキャストメッセージ２）をブロードキャストすることができる（Ｓ１０１０）。ブロードキャストメッセージ２は、隣接ＭＮＯ（例えば、ＭＮＯ２、ＭＮＯ３）のＰｒｏＳｅ−可能端末（例えば、端末２．１、端末３．１）のためのタイプ２の資源情報を含むことができる。タイプ２の資源は、端末２．１が端末１．１にＰｒｏＳｅ接続を要請するメッセージの送信のために使用できる。例えば、ＭＮＯの政策またはＭＮＯで資源の負担がある場合など、何らかの理由でも必要な場合、サービングＭＮＯ（例えば、ＭＮＯ１）は、他の端末（例えば、端末２．１）の隣接するＭＮＯ（例えば、ＭＮＯ２）に交渉を要請することができる。これによって、資源（例えば、周波数帯域／チャネル）の切り替えが、隣接するＭＮＯ（例えば、ＭＮＯ２）の資源で行われ得る。
【０１２４】
ブロードキャストメッセージ２は、ＰｒｏＳｅのために新たに定義されたシステム情報（例えば、ＰｒｏＳｅ−ＳＩＢ）などを使用して伝送することができる。ブロードキャストメッセージ１は、ＭＮＯ−共通スクランブリングシーケンスを使用してスクランブリングすることができる。例えば、ＭＮＯ−共通スクランブリングシーケンスは、新たに定義されたＭＮＯ−共通指示者（ＩＤ）、ＭＮＯ間に共通したＰｒｏＳｅ−関連ＩＤなどで初期化することができる。応答メッセージ１が発見者端末（例えば、端末２．１）の論理的あるいは物理的ＩＤ、及び／又はＭＮＯ（例えば、ＭＮＯ２）の論理的あるいは物理的ＩＤを含む場合、ブロードキャストメッセージ２は、発見者端末（例えば、端末２．１）の論理的または物理的ＩＤ、及び／又はＭＮＯ（例えば、ＭＮＯ２）の論理的または物理的ＩＤを使用してスクランブリングすることができる。ブロードキャストメッセージ２は、他のＭＮＯ（例えば、端末２．１又は端末３．１）のＰｒｏＳｅ−可能端末において有効な特定の無線資源を使用して伝送することができる。特定の無線資源は、ＭＮＯ−共通資源から選択することができる。ＭＮＯ−共通資源は、ＭＮＯ間の交渉または技術的標準などに基づいてＭＮＯ間に共有した周波数帯域／チャネルであり得る。特定の無線資源は、ＭＮＯ−共通資源から無作為にまたは特定の規則に従って選択されてもよい。例えば、特定の無線資源に対応する周波数帯域／チャネルインデックスは、ＭＮＯ  ＩＤ（例えば、ＭＮＯ１のＩＤ）、端末ＩＤ（例えば、端末１．１のＩＤ）、ＰｒｏＳｅグループＩＤまたはＰｒｏＳｅサービスＩＤに基づいて決定されてもよい。ブロードキャストメッセージ２は、周期的な伝送サイクル（例えば、Ｎ２（Ｎ２≧１）個の無線フレーム）及びブロードキャストメッセージ２に関連する手順がペンディングされた間のオフセット（ｍｓ又はサブフレーム単位）に従って伝送されてもよい。ブロードキャストメッセージ２の伝送のためのオフセットは、ＭＮＯ  ＩＤ（例えば、ＭＮＯ１のＩＤ）、端末ＩＤ（例えば、端末１．１のＩＤ）、ＰｒｏＳｅグループＩＤまたはＰｒｏＳｅサービスＩＤに基づいて決定されてもよい。
【０１２５】
タイプ２の資源の割り当ては（特に、ＰｒｏＳｅ接続設定のために競争する端末がない場合）無線資源の浪費があり得るが、タイプ２の資源の割り当ては、端末がＰｒｏＳｅ接続設定を開始しようと試みるときまでの時間範囲を減らすことができる。
【０１２６】
図１１は、本発明に係るＭＮＯ間のＰｒｏＳｅ接続設定の手順を示す。図１１は、複数の端末がＭＮＯ間のＰｒｏＳｅ接続設定を試みる場合を示す。基本的な手順は、１つの端末がＭＮＯ間のＰｒｏＳｅ接続設定を試みる図１０の場合と実質的に同一又は類似している。具体的に、ステップＳ１１０２〜Ｓ１１１２が、図１０のＳ１００２〜Ｓ１０１２と基本的に対応する。
【０１２７】
ただ、図１１の例において、ＰｒｏＳｅ端末（例えば、端末１．１）を発見した複数の端末（端末２．１、端末３．１）が存在する可能性がある。この場合、応答メッセージ１（例えば、ＡＣＫ）ステップで衝突が発生する可能性があり、ＰｒｏＳｅ接続設定を要請するステップ（“ＰｒｏＳｅ接続要請”で表示）も同様である。具体的に、複数の端末間のＡＣＫの衝突が発生する可能性がある。しかし、ＡＣＫが衝突するか否かに関係なく、ＡＣＫは、被発見端末（例えば、端末１．１）に、端末１．１を発見した１つあるいは複数個のＰｒｏＳｅ−可能端末（例えば、端末２．１、端末３．１）があることを知らせるために使用される。したがって、発見者端末（端末２．１、端末３．１）がそれぞれ応答メッセージ１（例えば、ＡＣＫ）を再伝送する必要がない。また、複数の端末間のＰｒｏＳｅ接続要請の衝突が発生する可能性がある。ＰｒｏＳｅ接続要請メッセージは、それぞれの発見者端末（例えば、端末２．１又は端末３．１）の（論理的）ＩＤを含むことができる。したがって、ＰｒｏＳｅ接続要請の衝突は、被発見端末（例えば、端末１．１）及び発見者端末（例えば、端末２．１又は端末３．１）の成功的なＰｒｏＳｅ接続を作るために解決する必要がある。発見者端末のＩＤは、端末をサービングするＭＮＯであって、端末のＨＰＬＭＮまたはＶＰＬＭＮ  ＭＮＯの（論理的）ＩＤを含むことができる。
【０１２８】
ＰｒｏＳｅ接続要請の衝突が発生した場合、端末１．１は、ＰｒｏＳｅ接続要請に対していかなるメッセージも伝送しなくてもよく、ブロードキャストメッセージ２を再びブロードキャストしてもよい。ＰｒｏＳｅ接続要請を伝送した後、端末２．１（又は端末３．１）は、（ｍｓ又はサブフレーム単位の）受信ウィンドウでＰｒｏＳｅ接続要請に対する応答メッセージの受信に失敗したり、またはブロードキャストメッセージ２を再び受信したりし、端末２．１（又は端末３．１）はＰｒｏＳｅ接続要請の衝突を識別することができる。この場合、競争するＰｒｏＳｅ端末（例えば、端末２．１及び端末３．１）が制限された回数の間にＰｒｏＳｅ接続要請を繰り返すことによって、衝突（あるいは競争）の解決がなされ得る。繰り返しのために、バックオフ（ｂａｃｋ−ｏｆｆ）（長さ）が適用され得る：指数的（ｅｘｐｏｎｅｎｔｉａｌ）バックオフが一例である。ＭＮＯあるいは被発見端末（例えば、端末１．１）は、最大回数でブロードキャストを試みたり（ｔｒｉａｌ）（ＰｒｏＳｅ接続要請の伝送）、バックオフ設定（初期のバックオフ長さ、試み当たりのステップ−大きさの増加）情報などをブロードキャストすることができる。ＳＩＢ及び／又はＰｒｏＳｅ−ＳＩＢがこの目的のために使用され得、この情報はまた、“［私はここにいる］メッセージ”（例えば、ブロードキャストメッセージ２）に含まれ得る。
【０１２９】
図１２は、端末または移動局（ＭＳ：Ｍｏｂｉｌｅ  Ｓｔａｔｉｏｎ）１０を示すブロック図である。端末１０は、ＭＴＣ機器またはプロセッサ（又はデジタル信号プロセッサ）５１０、ＲＦモジュール５３５、電力管理モジュール５０５、アンテナ５４０、バッテリー５５５、ディスプレイ５１５、キーパッド５２０、メモリ５３０、ＳＩＭカード５２５（選択事項）、スピーカー５４５及びマイク５５０を含む。
【０１３０】
例えば、ユーザがキーパッド５２０を押したり、マイク５５０を使用した音声活性化を通じて電話番号のような指示情報を入力する。マイクロプロセッサ５１０は、指示情報を受信し、処理して、電話番号をダイヤルするなどの適切な機能を行う。運営データは、機能を行うために、加入者識別モジュール（ＳＩＭ：Ｓｕｂｓｃｒｉｂｅｒ  Ｉｄｅｎｔｉｔｙ  Ｍｏｄｕｌｅ）カード５２５またはメモリモジュール５３０から検索されてもよい。また、プロセッサ５１０は、ユーザの参照及び便宜のために、指示及び動作情報をディスプレイ５１５に表示することができる。
【０１３１】
プロセッサ５１０は、例えば、音声通信データを含む無線信号を送信するなど、通信を開始するために指示情報をＲＦモジュール５３５に発表する。ＲＦモジュール５３５は、無線信号を受信及び送信する受信機と送信機を含む。アンテナ５４０は、無線信号の送信及び受信を容易にする。無線信号を受信すると、ＲＦモジュール５３５は、信号を伝達してプロセッサ５１０によって処理することによって基底帯域周波数に変換することができる。処理された信号は、例えば、スピーカー５４５を介して出力される可聴または可読情報に変換される。プロセッサ５１０はまた、本明細書に記載された各種処理を行うのに必要なプロトコル及び機能を含む。
【０１３２】
上記の実施例は、所定の方式で、本発明の構成要素と特徴の組み合わせによって達成される。別に明示しない限り、各構成要素又は特徴は選択的に考慮されなければならない。各構成要素又は特徴は、他の構成要素や特徴と結合されない形態で実施可能である。また、一部の構成要素及び／又は特徴は、本発明の実施例を構成するために互いに結合されてもよい。本発明の実施例で説明される動作の順序は変更可能である。一部の実施例の構成や特徴は、他の実施例に含まれたり、または他の実施例の対応する構成又は特徴に取って代わることもできる。また、特定の請求項を参照する一部の請求項は、他の請求項を参照する他の請求項と結合して実施例を構成したり、または出願後の補正によって新しい請求項と組み合わされてもよい。
【０１３３】
本発明の実施例は、基地局と端末間のデータの伝送及び受信に基づいて説明された。場合によって、基地局によって行われると説明された特定の動作は、基地局の上位ノードによって行われてもよい。すなわち、基地局が複数のネットワークノードを含むネットワーク内で端末との通信のために行う様々な動作は、基地局以外のネットワークノードによって行われてもよい。基地局は、固定局、Ｎｏｄｅ  Ｂ、ｅＮｏｄｅ  Ｂ、アクセスポイントのような用語に代替可能である。また、端末という用語は、移動局及び移動加入者局のような用語に代替可能である。
【０１３４】
本発明に係る実施例は、ハードウェア、ファームウエア、ソフトウェアまたはこれらの組み合わせに対する様々な手段によって具現されてもよい。本発明に係る実施例は、ハードウェアで具現される場合、１つ以上の注文型集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号プロセシングデバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理素子（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、プロセッサ、コントローラ、マイクロコントローラ、マイクロプロセッサなどにより具現することができる。
【０１３５】
本発明に係る実施例は、ファームウエア又はソフトウェアで具現される場合、前述したように機能又は動作を行うモジュール、手順または関数によって具現され得る。ソフトウェアコードは、メモリユニットに格納可能であり、その後、プロセッサによって駆動され得る。前記メモリユニットは、前記公知の様々な手段によりプロセッサからデータを受信するように、前記プロセッサの内部又は外部に位置し得る。
【０１３６】
本発明が、本発明の技術的思想及び本質的な特徴を逸脱せずに他の形態で具体化され得ることは、本発明の属する分野における通常の技術者にとって明らかである。したがって、前記実施例は、制限的なものではなく、例示的な全ての観点で考慮されなければならない。本発明の権利範囲は、添付した請求項の合理的解釈及び本発明の均等な範囲内の可能な全ての変化によって決定されなければならない。
【産業上の利用可能性】
【０１３７】
本発明は、近接ベースのサービス、具体的に、近接ベースのサービスのための協力（即ち、ノードの協力）のための方法及び装置に適用することができる。
【図１】
2016519492.tif 000071
【図２】
2016519492.tif 000072
【図３Ａ】
2016519492.tif 000073
【図３Ｂ】
2016519492.tif 000074
【図４（ａ）】
2016519492.tif 000075
【図４（ｂ）】
2016519492.tif 000076
【図５】
2016519492.tif 000077
【図６】
2016519492.tif 000078
【図７Ａ】
2016519492.tif 000079
【図７Ｂ】
2016519492.tif 000080
【図８】
2016519492.tif 000081
【図９Ａ】
2016519492.tif 000082
【図９Ｂ】
2016519492.tif 000083
【図１０】
2016519492.tif 000084
【図１１】
2016519492.tif 000085
【図１２】
2016519492.tif 000086
【国際調査報告】
2016519492.tif 000087
2016519492.tif 000088